(57)【要約】【課題】消火栓等において最も重要な開弁時、即ち、弁棒を上昇させるためのハンドル操作時に何らの負荷がかからず、操作ハンドルをスムーズに回動させることができ、しかも内部構成が簡単な開閉弁の開閉検出装置を提供すること。【解決手段】弁棒の回転昇降により開閉される開閉弁の弁箱にスイッチが取り付けられていて前記弁棒の昇降により前記スイッチを作動させるようにした開閉弁の開閉検出装置において、前記弁箱内に配置され、前記スイッチを作動させるように前記弁棒に沿って軸方向に昇降する作動部材と、該作動部材を常時上昇する方向に付勢する付勢手段とを備え、前記作動部材には、操作ハンドルの閉弁方向への回動に伴って該作動部材を前記付勢手段の付勢力に抗して降下させるようにした押圧部が設けられている。【選択図】　　　　図１
2004011656.tif 000002
【特許請求の範囲】
【請求項１】
弁棒の回転昇降により開閉される開閉弁の弁箱にスイッチが取り付けられていて前記弁棒の昇降により前記スイッチを作動させるようにした開閉弁の開閉検出装置において、前記弁箱内に配置され、前記スイッチを作動させるように前記弁棒に沿って軸方向に昇降する作動部材と、該作動部材を常時上昇する方向に付勢する付勢手段とを備え、前記作動部材には、操作ハンドルの閉弁方向への回動に伴って該作動部材を前記付勢手段の付勢力に抗して降下させるようにした押圧部が設けられていることを特徴とする開閉弁の開閉検出装置。
【請求項２】
付勢手段は弁軸の筒状軸受部の外周部に介装されたコイルバネであり、作動部材は前記コイルバネを収容する収容筒部とスイッチに係合する係合部とを備え、押圧部が弁箱から突出して操作ハンドルの下端部に当接する構成であることを特徴とする請求項１に記載の開閉弁の開閉検出装置。
【請求項３】
作動部材は収容筒部の下端に係合部としてのフランジが形成されていてほぼハット型形状をなしており、該収容筒部の上端に前記弁棒が挿通される小径筒状の押圧部が形成されていることを特徴とする請求項２に記載の開閉弁の開閉検出装置。
【発明の詳細な説明】
【０００１】
【発明の属する技術分野】
本発明は、消火栓等の開閉弁における開閉検出装置に係り、開閉弁の開の状態又は閉の状態を確実に検出することができる開閉検出装置に関する。
【０００２】
【従来の技術】
操作ハンドルを回動して弁棒を上昇させると弁が開かれ、操作ハンドルを逆回動して弁棒を降下させると弁が閉じられる構成の消火栓等の開閉弁では、開弁及び閉弁を電気的に検出して、開弁すると消火栓用ポンプが駆動するような開閉検出装置を備えていることが要求される。
【０００３】
前記のような開閉弁の開閉検出装置として、従来より、弁箱に設けられたマイクロスイッチを弁棒に設けた凸部又は凹部で作動させるように構成したものがある。
また、前記の従来のものでは、開閉弁の弁体シートとして一般に厚肉のゴム材が使用されているため、弁棒の締め込み誤差が発生して前記凸部又は凹部の最終停止位置が変化することから、マイクロスイッチの作動が不安定になるという欠点があり、この欠点を解消するものである、とした開閉弁の開閉検出装置が提案されている（特許第３０９７８３２号）。
【０００４】
前記の提案に係る開閉弁の開閉検出装置は、弁棒の回転に伴って回転する回転板に所定間隔をおいて３個の永久磁石を配置すると共に弁箱に設けた固定板には２個のホール素子を、前記永久磁石の接近による作動順序のパターンが開方向と閉方向とでは異なるように所定の角度をおいて配置する構成である。
【０００５】
前記提案に係る開閉弁の開閉検出装置は、弁棒が回転されると回転板が同方向に回転し、前記永久磁石とホール素子とが順次対向及び離隔を繰り返し、永久磁石によりホール素子が作動するが、このとき、回転板の回転方向に応じて開方向と閉方向とでは、ホール素子の作動順序のパターンが異なったものとなるから、この作動順序のパターンを検出することにより、開閉弁が開弁方向に作動しているか、あるいは閉弁方向に作動しているか等の開閉状況を検出することができるようになっている。
【０００６】
【発明が解決しようとする課題】
ところが、前記提案に係る開閉弁の開閉検出装置にあっては、弁棒の回転を回転板に伝達するために、回転板の中心に弁棒挿通孔を設けてその内周面にＯリングを嵌合し、これに弁棒を挿通しているため、弁棒が昇降しても回転板は昇降しないように該回転板の昇降を阻止する必要があり、このため、弁棒の回転時に摩擦抵抗が生じて弁棒を回転させる操作ハンドルが重くなる難点がある。
【０００７】
また、前記提案に係るものではＯリングの径年変化（劣化）により回転板の回転が不能になって開閉弁の開状態が検出されず、開閉弁を開いても消火栓用ポンプが駆動しない、というような重大な事故が発生するおそれがある。
【０００８】
さらに、前記提案に係るものでは、ホール素子と永久磁石との配置位置関係を正確に設定しなければならないから、固定板及びホール素子の取付位置設定に制約を受ける難点がある。
【０００９】
そこで、本発明の目的は、消火栓等において最も重要な開弁時、即ち、弁棒を上昇させるためのハンドル操作時に何らの負荷がかからず、操作ハンドルをスムーズに回動させることができ、しかも内部構成が簡単な開閉弁の開閉検出装置を提供することにある。
【００１０】
【課題を解決するための手段】
上記の目的を達成するために、本発明の開閉弁の開閉検出装置は、弁棒の回転昇降により開閉される開閉弁の弁箱にスイッチが取り付けられていて前記弁棒の昇降により前記スイッチを作動させるようにした開閉弁の開閉検出装置において、前記弁箱内に配置され、前記スイッチを作動させるように前記弁棒に沿って軸方向に昇降する作動部材と、該作動部材を常時上昇する方向に付勢する付勢手段とを備え、前記作動部材には、開閉弁の操作ハンドルの閉弁方向への回動に伴って該作動部材を前記付勢手段の付勢力に抗して降下させるようにした押圧部が設けられていることを特徴とする（請求項１）。
【００１１】
この場合、付勢手段としては弁軸の筒状軸受部の外周部に介装されたコイルバネとし、作動部材には前記コイルバネを収容する収容筒部と前記スイッチに係合する係合部とを設け、前記収容筒部の上部に形成した押圧部が弁箱から突出して操作ハンドルの下端部に当接するように構成することができる（請求項２）。
【００１２】
前記作動部材は収容筒部の下端に係合部としてのフランジが形成されていてほぼハット型形状に形成され、該収容筒部の上端に前記弁棒が挿通される小径筒状の押圧部を形成してこの押圧部を弁箱の上面から突出させる（請求項３）。
【００１３】
開弁に際しては、操作ハンドルを回動して弁棒を上昇させると弁が開かれると共にこれに伴って作動部材が付勢手段の付勢力により上昇し、係合部が弁箱内のスイッチの作動片に係合することによりスイッチがオンとなって開弁が検出され、例えば、消火栓用ポンプを駆動させる信号が与えられる。
【００１４】
このとき、作動部材は上昇する方向に付勢されていると共に該作動部材の押圧部は操作ハンドルの下端部に当接しているから、弁棒の回動操作はスムーズに行われて確実に開弁することができる。作動部材はスイッチをオンした状態でその上昇が規制されるが、弁棒は作動部材を置き去りにした状態でさらに全開状態まで上昇することができ、充分な送水が可能となる。
【００１５】
閉弁に際しては、操作ハンドルを逆回動して弁棒を降下させると閉弁されると共に操作ハンドルにより押圧部を介して作動部材がその付勢力に抗して押し下げられ、該作動部材の係合部によりスイッチがオフとなって閉弁が検出される。
【００１６】
請求項２及び３のように、付勢手段として弁軸の筒状軸受部の外周部にコイルバネを介装し、作動部材としては、前記コイルバネを収容する収容筒部とその下部に形成したフランジとでハット型形状に形成し、該収容筒部の上端に前記弁棒が挿通される小径筒状の押圧部を形成してこの押圧部を弁箱の上面から突出させるように構成すれば、弁箱内部が構成至簡となると共に部品点数を少なくすることができる。
【００１７】
【発明の実施の形態】
本発明に係る開閉弁の開閉検出装置を消火栓用開閉弁に実施した例として図面に基づいて説明する。
図において、１は消火栓用の開閉弁であって、本体下部の鋼管ねじ込み口２に送水管（図示しない）がねじ込み接続されると共に側部の送水口３に放水ホースが接続され、操作ハンドル４の回動によって弁棒５を上昇させることにより弁体（図示しない）を開いて送水口３から送水し、前記操作ハンドル４の逆回動によって弁棒５を降下させることにより弁体を閉じて送水を停止する構成である。
【００１８】
６は弁箱、７は弁棒５の筒状軸受部、８は弁箱本体６ａの上部に螺合されるキャップ状のカバーであって、前記筒状軸受部７を囲繞し、上面から前記弁棒５が突出するようになっている。
【００１９】
本発明に係る開閉弁の開閉検出装置１１は、前記弁箱６のカバー８の一側面にスイッチ取付穴８ａが形成されると共にスイッチ取付部材９が設けられ、前記スイッチ取付穴８ａを介して内部にマイクロスイッチ１０が配置されており、前記カバー８内には前記マイクロスイッチ１０を作動させるための作動部材１２を前記弁棒５に沿って軸方向に昇降するように配置し、該作動部材１２を常時上昇する方向に付勢する付勢手段としてのコイルバネ１６を設け、前記作動部材１２には、前記操作ハンドル４の閉弁方向への回動に伴って該作動部材１２を前記コイルバネ１６の付勢力に抗して降下させるようにした押圧部１５を設けて構成されている。
【００２０】
前記コイルバネ１６は前記筒状軸受部７の外周部に介装され、作動部材１２は前記コイルバネ１６を収容する収容筒部１３と前記マイクロスイッチ１０の作動片１０ａに係合するフランジ状の係合部１４とで略ハット型形状に形成され、前記収容筒部１３の上端には小径筒状の押圧部１５を一体に設けて該押圧部１５の内部に前記弁棒５が挿通されるようにすると共にこの押圧部１５を前記カバー８の上面から突出させる。
【００２１】
開閉弁１は図の実線で示す状態では閉弁状態であり、作動部材１２は押圧部１５が操作ハンドル４の下面４ａに押さえられることによりコイルバネ１６の付勢力に抗して押し下げられており、前記係合部１４とマイクロスイッチ１０の作動片１０ａとは離反していてマイクロスイッチ１０はオフ状態である。
【００２２】
操作ハンドル４を回動すると弁棒５が上昇して弁体が開かれるが、これに伴ってコイルバネ１６の付勢力により作動部材１２が上昇し、係合部１４がマイクロスイッチ１０の作動片１０ａに係合してマイクロスイッチ１０がオンし、開閉弁１の開状態が検出されて消火栓用ポンプを駆動させる駆動信号となる。
【００２３】
前記作動部材１２は前記のようにしてマイクロスイッチ１０がオンした時点で前記筒状収容部１３と前記押圧部１５との境界段部１３ａがケース８の上壁部８ｂに当接して停止するが、前記弁棒５は作動部材１２を置き去りにした状態でさらに上昇することが可能であり、操作ハンドル４の図の仮装線で示す位置において弁体が全開状態となる。
【００２４】
閉弁操作に際しては、前記操作ハンドル４を逆回動して弁棒５を降下させると弁体が閉じられるが、この弁棒５の降下の過程において操作ハンドル４の下面４ａが作動部材１２の押圧部１５に当接し、コイルバネ１６の付勢力に抗して作動部材１２を押し下げ、係合部１５とマイクロスイッチ１０の作動片１０ａとの係合が解除されることによりマイクロスイッチ１０はオフとなり、開閉弁１の閉の状態が検知される。
【００２５】
前記コイルバネ１６は前記作動部材１２を常時押し上げるような付勢力があれば充分であり、例えば、作動部材１２を合成樹脂製とすれば軽量であるから、弱いばね力のものを使用することができる。
【００２６】
前記作動部材１２の係合部１４をフランジ状に形成すれば、前記ケース８の外周面におけるマイクロスイッチ１０の取付位置に制約を受けることがなく任意に設定することができ、スイッチ取付部材９からの電線コードの引出方向を自由に選定することができる。
【００２７】
【発明の効果】
本発明に係る開閉弁の開閉検出装置によれば、消火栓等において最も重要な開弁時、即ち、弁棒を上昇させるためのハンドル操作時に何らの負荷がかからず、操作ハンドルをスムーズに回動させることができ、しかも構成部材としては作動部材と付勢手段だけの簡単な構成であるから、内部構成が至簡となる。
【図面の簡単な説明】
【図１】本発明に係る開閉弁の開閉検出装置の実施例を示す要部の断面図である。
【符号の説明】
１　　　　　　開閉弁
２　　　　　　鋼管ねじ込み口
３　　　　　　放水口
４　　　　　　操作ハンドル
５　　　　　　弁棒
６　　　　　　弁箱
６ａ　　　　　弁箱本体
７　　　　　　筒状軸受部
８　　　　　　ケース
９　　　　　　スイッチ取付部材
１０　　　　　マイクロスイッチ
１１　　　　　開閉検出装置
１２　　　　　作動部材
１３　　　　　筒状収容部
１４　　　　　係合部
１５　　　　　押圧部
１６　　　　　コイルバネ
【図１】
2004011656.tif 000003